(57)【要約】【課題】軽量且つコンパクトで手軽に持ち運びができ、しかも、準備作業もほとんど必要がなく、さらに、測定装置に対する遠隔操作を容易に行うことができる携帯電話，携帯電話用プログラム，及び携帯電話用プログラムの記録媒体を提供する。【解決手段】携帯電話１はＣＰＵ２とメモリ３と通信制御部４内蔵アンテナ５と表示部６とを備える。ＣＰＵ２の指令送信部２１は、ＯＴＤＲ１００に対する初期化指令、測定開始指令や停止指令を送信し、測定条件送信部２２は、測定条件をＯＴＤＲ１００に送信する。また、測定データ要求部２３は、ＯＴＤＲ１００の測定作業終了時に、波形データＤ２を要求する。そして、データ演算処理部２４は、全ての波形データＤ２を波形データＤ３とテキストデータＴとに変換し、表示部６に表示させる。【選択図】図２
2011176530.tif 000002
【特許請求の範囲】
【請求項１】
信号の送受信が可能な測定装置に対して、遠隔から無線で操作可能な携帯電話であって、
上記測定装置の測定条件を設定して、上記測定装置に送信する測定条件送信部と、
上記測定装置に対する測定開始の指令を送信する指令送信部と、
上記測定作業が終了したと判断した場合に、測定データを上記測定装置に要求する測定データ要求部と、
上記測定装置から受信した測定データを演算し、線図又はテキストに変換して表示するデータ演算処理部と
を具備することを特徴とする携帯電話。
【請求項２】
信号の送受信が可能な測定装置に対して、遠隔から無線で操作するための携帯電話に用いる携帯電話用プログラムであって、
上記測定装置の測定条件を設定して、上記測定装置に送信する測定条件送信ステップと、
上記測定装置に対する測定開始の指令を送信する指令送信ステップと、
上記測定作業が終了したと判断した場合に、測定データを上記測定装置に要求する測定データ要求ステップと、
上記測定装置から受信した測定データを演算し、線図又はテキストに変換して表示するデータ演算処理ステップと
を携帯電話のＣＰＵに実行させる、
ことを特徴とする携帯電話用プログラム。
【請求項３】
信号の送受信が可能な測定装置に対して、遠隔から無線で操作するための携帯電話に用いる携帯電話用プログラムを記録した記録媒体であって、
上記測定装置の測定条件を設定して、上記測定装置に送信する測定条件送信ステップと、上記測定装置に対する測定開始の指令を送信する指令送信ステップと、上記測定作業が終了したと判断した場合に、測定データを上記測定装置に要求する測定データ要求ステップと、上記測定装置から受信した測定データを演算し、線図又はテキストに変換して表示するデータ演算処理ステップとを携帯電話のＣＰＵに実行させる携帯電話用プログラムを、記録した、
ことを特徴とする携帯電話用プログラムの記録媒体。
【請求項４】
信号の送受信が可能な測定装置に対して、遠隔から無線で操作可能な携帯電話であって、
上記測定装置の測定条件を設定して、上記測定装置に送信する測定条件送信部と、
上記測定装置に対するリアルタイム測定開始の指令を送信する指令送信部と、
上記指令送信部から送信されたリアルタイム測定開始指令に対する応答を上記測定装置から受信した場合に、測定データを上記測定装置に要求する測定データ要求部と、
受信した測定データを演算し、線図又はテキストに変換して表示するデータ演算処理部と、
上記測定データ要求部の動作とデータ演算処理部の動作とを、一定時間間隔で繰り返させるリアルタイム制御部と
を具備することを特徴とする携帯電話。
【請求項５】
信号の送受信が可能な測定装置に対して、遠隔から無線で操作するための携帯電話に用いる携帯電話用プログラムであって、
上記測定装置の測定条件を設定して、上記測定装置に送信する測定条件送信ステップと、
上記測定装置に対するリアルタイム測定開始の指令を送信する指令送信ステップと、
上記指令送信ステップのリアルタイム測定開始指令に対する応答を上記測定装置から受信した場合に、測定データを上記測定装置に要求する測定データ要求ステップと、
受信した測定データを演算し、線図又はテキストに変換して表示するデータ演算処理ステップと、
上記測定データ要求ステップとデータ演算処理ステップとを、一定時間間隔で繰り返させるリアルタイム制御ステップと
を携帯電話のＣＰＵに実行させる、
ことを特徴とする携帯電話用プログラム。
【請求項６】
信号の送受信が可能な測定装置に対して、遠隔から無線で操作するための携帯電話に用いる携帯電話用プログラムを記録した記録媒体であって、
上記測定装置の測定条件を設定して、上記測定装置に送信する測定条件送信ステップと、上記測定装置に対するリアルタイム測定開始の指令を送信する指令送信ステップと、上記指令送信ステップのリアルタイム測定開始指令に対する応答を上記測定装置から受信した場合に、測定データを上記測定装置に要求する測定データ要求ステップと、受信した測定データを演算し、線図又はテキストに変換して表示するデータ演算処理ステップと、上記測定データ要求ステップとデータ演算処理ステップとを、一定時間間隔で繰り返させるリアルタイム制御ステップとを携帯電話のＣＰＵに実行させる携帯電話用プログラムを、記録した、
ことを特徴とする携帯電話用プログラムの記録媒体。
【発明の詳細な説明】
【技術分野】
【０００１】
この発明は、測定装置を遠隔地から操作することができる携帯電話，携帯電話用プログラム，及び携帯電話用プログラムの記録媒体に関するものである。
【背景技術】
【０００２】
従来、ＯＴＤＲ（光パルス試験器）等の測定装置に対する遠隔操作は、ＯＴＤＲと中央監視装置との間の制御信号やデータのやり取りを、モデムや公衆回線網を通じて行うのが一般的である。
しかし、このような遠隔操作技術では、公衆回線網等の有線によって、制御信号やデータを通信する構成であるので、ＯＴＤＲが設置されている現場と中央監視装置が設置されている遠隔地との双方に作業者を配置しておく必要があり、人員確保や人件費がかかるという問題がある。
【０００３】
そこで、無線によって、ＯＴＤＲを遠隔操作するシステムが考案された（例えば、特許文献１参照）。
このシステムは、制御信号やデータを、ノートパソコンからモデムやＰＨＳ（登録商標）を通じてＯＴＤＲに送って、ＯＴＤＲを遠隔操作する技術である。
【先行技術文献】
【特許文献】
【０００４】
【特許文献１】特開２０００−１９３５５５号公報
【発明の概要】
【発明が解決しようとする課題】
【０００５】
上記した無線を用いた遠隔操作技術では、ノートパソコンからモデムやＰＨＳを通じて遠隔操作するので、ノートパソコンを任意の場所に持ち運びすることができる。しかし、ノートパソコンといえども、約１ｋｇ程度の重さがあり、手軽に持ち運びができるというものではない。また、ＰＨＳやモデムをノートパソコンに接続する作業が必要であり、しかも、ノートパソコンは、起動に長時間を要する。このため、遠隔操作に入る前の準備作業が面倒であり、また、長時間を要する。また、遠隔操作用のアプリケーションと他のアプリケーションを同時に起動させた状態で、他のアプリケーションがフリーズすると、遠隔操作用のアプリケーションも使用することができなくなり、不便である。
【０００６】
この発明は、上述した課題を解決するためになされたもので、軽量且つコンパクトで手軽に持ち運びができ、しかも、準備作業もほとんど必要がなく、さらに、測定装置に対する遠隔操作を容易に行うことができる携帯電話，携帯電話用プログラム，及び携帯電話用プログラムの記録媒体を提供することを目的とする。
【課題を解決するための手段】
【０００７】
上記課題を解決するために、請求項１の発明は、信号の送受信が可能な測定装置に対して、遠隔から無線で操作可能な携帯電話であって、測定装置の測定条件を設定して、測定装置に送信する測定条件送信部と、測定装置に対する測定開始の指令を送信する指令送信部と、測定作業が終了したと判断した場合に、測定データを測定装置に要求する測定データ要求部と、測定装置から受信した測定データを演算し、線図又はテキストに変換して表示するデータ演算処理部とを具備する構成とした。
かかる構成により、測定条件送信部において、設定された測定装置の測定条件が測定装置に送信され、指令送信部において、測定装置に対する測定開始の指令が送信されると、測定装置において、測定条件下での測定が行われる。そして、測定データ要求部において、測定装置における測定作業が終了したと判断されると、測定データが測定装置に要求される。すると、測定データが、測定装置から送信され、データ演算処理部において受信される。そして、このデータ演算処理部において、測定装置から受信した測定データが演算され、その測定データが、線図又はテキストに変換されて表示される。
【０００８】
請求項２の発明は、信号の送受信が可能な測定装置に対して、遠隔から無線で操作するための携帯電話に用いる携帯電話用プログラムであって、測定装置の測定条件を設定して、測定装置に送信する測定条件送信ステップと、測定装置に対する測定開始の指令を送信する指令送信ステップと、測定作業が終了したと判断した場合に、測定データを測定装置に要求する測定データ要求ステップと、測定装置から受信した測定データを演算し、線図又はテキストに変換して表示するデータ演算処理ステップとを携帯電話のＣＰＵに実行させる構成とした。
かかる構成により、携帯電話のＣＰＵによって、測定条件送信ステップが実行されると、測定装置の測定条件が設定され、測定装置に送信される。そして、指令送信ステップが実行されると、測定装置に対する測定開始の指令が送信され、測定装置において、測定条件下での測定が行われる。さらに、測定データ要求ステップが実行されると、測定装置における測定作業が終了したか否かが判断され、終了したと判断されると、測定データが測定装置に要求され、測定データが、測定装置から送信される。そして、データ演算処理ステップが実行されると、測定装置から受信した測定データが演算され、その測定データが、線図又はテキストに変換されて表示される。
【０００９】
請求項３の発明は、信号の送受信が可能な測定装置に対して、遠隔から無線で操作するための携帯電話に用いる携帯電話用プログラムを記録した記録媒体であって、測定装置の測定条件を設定して、測定装置に送信する測定条件送信ステップと、測定装置に対する測定開始の指令を送信する指令送信ステップと、測定作業が終了したと判断した場合に、測定データを測定装置に要求する測定データ要求ステップと、測定装置から受信した測定データを演算し、線図又はテキストに変換して表示するデータ演算処理ステップとを携帯電話のＣＰＵに実行させる携帯電話用プログラムを、記録した構成とする。
【００１０】
請求項４の発明は、信号の送受信が可能な測定装置に対して、遠隔から無線で操作可能な携帯電話であって、測定装置の測定条件を設定して、測定装置に送信する測定条件送信部と、測定装置に対するリアルタイム測定開始の指令を送信する指令送信部と、指令送信部から送信されたリアルタイム測定開始指令に対する応答を測定装置から受信した場合に、測定データを測定装置に要求する測定データ要求部と、受信した測定データを演算し、線図又はテキストに変換して表示するデータ演算処理部と、測定データ要求部の動作とデータ演算処理部の動作とを、一定時間間隔で繰り返させるリアルタイム制御部とを具備する構成とした。
かかる構成により、測定条件送信部において、設定された測定装置の測定条件が測定装置に送信され、指令送信部において、リアルタイム測定開始の指令が、測定装置に対して送信されると、測定装置において、測定条件下での測定が行われる。そして、測定データ要求部において、リアルタイム測定開始指令に対する応答を測定装置から受信した場合に、測定データが測定装置に要求される。すると、測定データが、測定装置から送信され、データ演算処理部において受信される。そして、このデータ演算処理部において、測定装置から受信した測定データが演算され、その測定データが、線図又はテキストに変換されて表示される。これと並行して、リアルタイム制御部によって、かかる測定データ要求部の動作とデータ演算処理部の動作とが、一定時間間隔で繰り返すように、制御される。
【００１１】
請求項５の発明は、信号の送受信が可能な測定装置に対して、遠隔から無線で操作するための携帯電話に用いる携帯電話用プログラムであって、測定装置の測定条件を設定して、測定装置に送信する測定条件送信ステップと、測定装置に対するリアルタイム測定開始の指令を送信する指令送信ステップと、指令送信ステップのリアルタイム測定開始指令に対する応答を測定装置から受信した場合に、測定データを測定装置に要求する測定データ要求ステップと、受信した測定データを演算し、線図又はテキストに変換して表示するデータ演算処理ステップと、測定データ要求ステップとデータ演算処理ステップとを、一定時間間隔で繰り返させるリアルタイム制御ステップとを携帯電話のＣＰＵに実行させる構成とした。
かかる構成により、携帯電話のＣＰＵによって、測定条件送信ステップが実行されると、測定装置の測定条件が設定され、測定装置に送信される。そして、指令送信ステップが実行されると、測定装置に対するリアルタイム測定開始の指令が、測定装置に送信され、測定装置において、測定条件下での測定が行われる。さらに、測定データ要求ステップが実行されると、リアルタイム測定開始指令に対する応答を測定装置から受信したか否かが判断される。そして、受信したと判断されると、測定データが測定装置に要求され、測定データが、測定装置から送信される。また、データ演算処理ステップが実行されると、測定装置から受信した測定データが演算され、その測定データが、線図又はテキストに変換されて表示される。これと並行して、リアルタイム制御ステップが実行され、かかる測定データ要求ステップとデータ演算処理ステップとが、一定時間間隔で繰り返すように、制御される。
【００１２】
請求項６の発明は、信号の送受信が可能な測定装置に対して、遠隔から無線で操作するための携帯電話に用いる携帯電話用プログラムを記録した記録媒体であって、測定装置の測定条件を設定して、測定装置に送信する測定条件送信ステップと、測定装置に対するリアルタイム測定開始の指令を送信する指令送信ステップと、指令送信ステップのリアルタイム測定開始指令に対する応答を測定装置から受信した場合に、測定データを測定装置に要求する測定データ要求ステップと、受信した測定データを演算し、線図又はテキストに変換して表示するデータ演算処理ステップと、測定データ要求ステップとデータ演算処理ステップとを、一定時間間隔で繰り返させるリアルタイム制御ステップとを携帯電話のＣＰＵに実行させる携帯電話用プログラムを、記録した構成とする。
【発明の効果】
【００１３】
以上詳しく説明したように、この発明によれば、軽量且つコンパクトな携帯電話によって、測定装置の遠隔操作することができ、この結果、いつでも何処でも手軽に持ち運び、所望の遠隔操作を容易に行うことができるという優れた効果がある。また、携帯電話を直接操作するだけで、遠隔操作することができるので、遠隔操作に入る前の準備作業も必要がなく、短時間で、遠隔操作に入ることができるという効果もある。
【図面の簡単な説明】
【００１４】
【図１】この発明の第１実施例に係る携帯電話が適用された遠隔操作システムを示す概略図である。
【図２】携帯電話のブロック図である。
【図３】携帯電話の動作フローチャート図である。
【図４】ＯＴＤＲへの接続前の画面表示図である。
【図５】測定条件設定時の画面表示図である。
【図６】測定開始指令を説明するための画面表示図である。
【図７】状態情報を示す画面表示図である。
【図８】波形データを示す画面表示図である。
【図９】テキストデータを示す画面表示図である。
【図１０】テキストデータの指定イベントを波形で示す画面表示図である。
【図１１】この発明の第２実施例に係る携帯電話のブロック図である。
【図１２】携帯電話の動作フローチャート図である。
【発明を実施するための形態】
【００１５】
以下、この発明の最良の形態について図面を参照して説明する。
【実施例１】
【００１６】
図１は、この発明の第１実施例に係る携帯電話が適用された遠隔操作システムを示す概略図であり、図２は、携帯電話のブロック図である。
【００１７】
図１に示すように、この実施例の携帯電話１は、測定装置としてのＯＴＤＲ（光パルス試験機）１００に対して、遠隔から無線で操作可能な遠隔操作機能付きの携帯電話である。
携帯電話１とＯＴＤＲ１００とは、例えばＷｉ−Ｆｉ（Wi-Fi Allianceの登録商標である）等の無線ＬＡＮ（Local Area Network）で接続され、無線信号の送受信を、ＯＴＤＲ１００にＬＡＮケーブル１１０で接続されたアクセスポイント１２０と携帯電話１との間で行うことができる。なお、携帯電話１とＯＴＤＲ１００との接続は、無線LANだけでなく,Bluetooth,ZigBeeなど、またインターネット接続でも接続で行うこともできることは勿論である。
【００１８】
図２に示すように、この携帯電話１は、ＣＰＵ（Central Processing Unit）２と、メモリ３と、ＲＦ部やＢＢ部等の通信制御部４と、チップアンテナ等の内蔵アンテナ５と、液晶ディスプレイ等の表示部６とを備えている。
そして、ＣＰＵ２は、操作部２０と指令送信部２１と測定条件送信部２２と測定データ要求部２３とデータ演算処理部２４とを機能ブロックとしている。
以下、各機能ブロックについて、詳説する。
【００１９】
操作部２０は、ＣＰＵ２の各機能ブロックに指令を与えるための部分である。この実施例では、表示部６に表示されているアイコン等をタップすることで、操作部２０が、指令送信部２１と測定条件送信部２２とを指示すると共に、データ演算処理部２４からの線図である波形データＤ３やテキストデータＴを表示部６に表示させる機能を有している。
【００２０】
指令送信部２１は、操作部２０からの指令により、ＯＴＤＲ１００に対する初期化指令Ｖ０、測定開始の指令Ｖ２や停止指令Ｖ′を、通信制御部４及び内蔵アンテナ５を通じて送信する機能を有している。
【００２１】
測定条件送信部２２は、操作部２０からの指令により、ＯＴＤＲ１００の測定条件を設定して、設定した測定条件Ｖ１を、通信制御部４及び内蔵アンテナ５を通じてＯＴＤＲ１００に送信する機能を有している。
【００２２】
測定データ要求部２３は、  ＯＴＤＲ１００からの状態情報Ｄ１を、内蔵アンテナ５及び通信制御部４を通じて受信し、受信した状態情報Ｄ１に基づいて、ＯＴＤＲ１００の測定作業が終了したか否かを判断する機能を有している。そして、測定データ要求部２３は、測定作業が終了したと判断した場合に、測定データである波形データＤ２をＯＴＤＲ１００に要求するデータ要求Ｖ３を、通信制御部４と内蔵アンテナ５とを通じて、ＯＴＤＲ１００に送信する。
【００２３】
データ演算処理部２４は、ＯＴＤＲ１００から内蔵アンテナ５及び通信制御部４を通じて受信した波形データＤ２を、メモリ３に格納する。そして、測定範囲の開始点から終了点迄の全ての波形データＤ２を格納した時点で、波形データＤ２をメモリ３から読み出して、演算し、線図である波形データＤ３とテキストデータＴとに変換して、操作部２０に送る機能を有している。
【００２４】
このような操作部２０〜データ演算処理部２４は、ＣＰＵ２とメモリ３と表示部６とをハード資源として、携帯電話用プログラムＰを実行することで、機能する。
この携帯電話用プログラムＰは、メモリ３に格納され、アプリケーションチップであるＣＰＵ２に随時読み出されて、実行される。メモリ３への格納は、携帯電話用プログラムＰを記録した記録媒体であるハードディスクを備えたＷＥＢサーバから、インターネットを通じてダウンロードすることで可能である。また、ＤＶＤやＣＤ−ＲＯＭ等の記録媒体に記録された携帯電話用プログラムＰを、パーソナルコンピュータを介してメモリ３に格納することもできる。
【００２５】
次に、この実施例の携帯電話１の動作について説明する。
なお、この動作は、この発明の携帯電話用プログラムＰの各ステップを具体的に実行するものでもある。
図３は、携帯電話１の動作フローチャート図であり、図４は、ＯＴＤＲ１００への接続前の画面表示図であり、図５は、測定条件設定時の画面表示図であり、図６は、測定開始指令を説明するための画面表示図であり、図７は、状態情報Ｄ１を示す画面表示図であり、図８は、波形データＤ３を示す画面表示図であり、図９は、テキストデータＴを示す画面表示図であり、図１０は、テキストデータＴの指定イベントを波形で示す画面表示図である。
【００２６】
まず、図４に示すように、携帯電話１の表示部６で、ユーザＩＤとパスワードを入力すると、事前に登録されているＯＴＤＲ１００のＩＰアドレスに基づいて、携帯電話１とＯＴＤＲ１００とが無線接続される。
すると、図２に示す操作部２０の指令により、初期化指令Ｖ０が、指令送信部２１から通信制御部４及び内蔵アンテナ５を通じてＯＴＤＲ１００に送られる（図３のステップＳ１）。そして、この初期化指令Ｖ０が、ＯＴＤＲ１００のアクセスポイント１２０で受信され、ＯＴＤＲ１００が初期化される。
【００２７】
次に、図５に示すように、表示部６で、ＯＴＤＲ１００で使用する光パルスの波長，距離レンジ，パルス幅，分解能等の測定条件を設定すると、図２に示す操作部２０の指令により、測定条件Ｖ１が、測定条件送信部２２から通信制御部４及び内蔵アンテナ５を通じてＯＴＤＲ１００に送信される（測定条件送信ステップ：図３のステップＳ２、Ｓ３）。
【００２８】
そして、図６に示すように、表示部６上で、通常の測定を開始させるためのボタンアイコン「ＮＯＲＭＡＬ」６１をタップすると、図２に示す操作部２０の指令により、測定開始指令Ｖ２が、指令送信部２１から通信制御部４及び内蔵アンテナ５を通じてＯＴＤＲ１００に送信される（指令送信ステップ：図３のステップＳ４、Ｓ５）。
そして、ＯＴＤＲ１００が、測定開始指令Ｖ２を受信すると、既に受信している測定条件Ｖ１に基づいて、所定の測定作業を行うと共に、ＯＴＤＲ１００の現在の状態を示す状態情報Ｄ１を携帯電話１に送信する。
すると、携帯電話１では、状態情報Ｄ１が、内蔵アンテナ５及び通信制御部４を通じて測定データ要求部２３に受信され、図７に示すように、ＯＴＤＲ１００の状態が表示部６に表示される。そして、図２に示す測定データ要求部２３では、状態情報Ｄ１に基づいて、ＯＴＤＲ１００の測定作業が終了したか否かが判断される（図３のステップＳ６）。
【００２９】
測定データ要求部２３において、測定作業が終了したと判断された場合には、波形データＤ２をＯＴＤＲ１００に要求するデータ要求Ｖ３が、通信制御部４と内蔵アンテナ５とを通じて、ＯＴＤＲ１００に送信される（測定データ要求ステップ：図３のステップＳ６のＹＥＳ、Ｓ７）。
【００３０】
そして、波形データＤ２が、データ要求Ｖ３を受信したＯＴＤＲ１００から携帯電話１に送信され、この波形データＤ２が、内蔵アンテナ５及び通信制御部４を通じてデータ演算処理部２４に受信される（図３のステップＳ８）。
この波形データＤ２は、メモリ３に順次格納され、測定範囲の開始点から終了点迄の全ての波形データＤ２がメモリ３に格納された時点で、メモリ３からデータ演算処理部２４に読み出される。そして、これらの波形データＤ２が、データ演算処理部２４で演算されて、波形データＤ３とテキストデータＴとに変換され、操作部２０に送られる。
すると、操作部２０を通じて波形データＤ３が、図８に示すように、表示部６に線図で表示され、また、図９に示すように、テキストデータＴが、表示部６に、イベントリストとして表示される（データ演算処理ステップ：図３のステップＳ９）。
すなわち、測定範囲の開始点から終了点迄の全てを表示する線図の波形データＤ３とテキストデータＴとが、表示部６に現れる。波形データＤ３による線図は、例えば、横軸が光ファイバの始点からの距離を示し、縦軸が各距離おける挿入損失などを示す。これにより、波形データＤ３が示す線図によって、ＯＴＤＲ１００で測定された光ファイバの開始点、障害点、接続点、終了点を視覚的に捉えることができる。
そして、図９において、イベントリストの１つの番号をタップすると、図１０に示すように、波形データＤ３の線図上で、その番号に対応する箇所がカーソルＣで明示される。
【００３１】
以上のように、この実施例の携帯電話１によれば、ＯＴＤＲ１００を無線で遠隔操作することができるだけでなく、軽量且つコンパクトである点から、いつでも何処でも手軽に持ち運び、所望の遠隔操作を容易に行うことができるという効果がある。また、携帯電話１を立ち上げやアプリケーションである携帯電話用プログラムＰの立ち上げも簡単且つ短時間で行うことができるので、遠隔操作前の準備作業も必要がなく、短時間で、遠隔操作に入ることができるという効果もある。
【実施例２】
【００３２】
次に、この発明の第２実施例について説明する。
図１１は、この発明の第２実施例に係る携帯電話のブロック図である。
この実施例は、波形データのリアルタイム表示ができる点が、上記第１実施例と異なる。
図１１に示すように、この実施例の携帯電話も、ハード資源として、ＣＰＵ２とメモリ３と通信制御部４と内蔵アンテナ５と表示部６とを備えているが、ＣＰＵ２の機能が多少異なる。
具体的には、ＣＰＵ２は、指令送信部２１と測定条件送信部２２と測定データ要求部２３とデータ演算処理部２４の他に、リアルタイム制御部２５を機能ブロックとしている。
リアルタイム制御部２５は、測定データ要求部２３の動作とデータ演算処理部２４の動作とを、一定時間間隔で繰り返させる機能を有している。
リアルタイム制御部２５は、指令送信部２１が、測定開始指令Ｖ２を送信した時点で、測定データ要求部２３とデータ演算処理部２４とを作動させる。詳細には、測定データ要求部２３がデータ要求Ｖ３送信し、データ演算処理部２４が今回のデータ要求Ｖ３に対する波形データＤ２を受信した後、変換した波形データＤ３、テキストデータＴを、操作部２０に送る迄の過程を１サイクルとする。そして、このサイクルを、図示しないタイマ等に基づいて、約２秒間隔で実行させる。また、このリアルタイム制御部２５は、指令送信部２１からの停止指令Ｖ′を受信した時点で停止する。
【００３３】
次に、この実施例の携帯電話１の動作について説明する。
なお、この動作は、この発明の携帯電話用プログラムＱの各ステップを具体的に実行するものでもある。
図１２は、携帯電話の動作フローチャート図である。
図１２のステップＳ１〜Ｓ５に示すように、この携帯電話用プログラムＱも、第１実施例に適用された携帯電話用プログラムＰと同様に、測定条件送信ステップ（図１２のステップＳ２、Ｓ３）と、指令送信ステップ（図１２のステップＳ４、Ｓ５）とを有している。
しかし、この携帯電話用プログラムＱを実行すると、測定中に、表示部６に表示されている波形データＤ３が、約２秒間隔で、更新される。
すなわち、図６に示すリアルタイム測定開始用のボタンアイコン「ＲＥＡＬ ＴＩＭＥ」６２をタップすることにより、指令送信部２１において、測定開始指令Ｖ２が送信され、リアルタイム制御部２５が作動する。
このリアルタイム制御部２５の作動によって、測定データ要求部２３とデータ演算処理部２４との作動が制御され（測定データ要求ステップ：図１２のステップＳ６）、ＯＴＤＲ１００からの波形データＤ２が、データ演算処理部２４に受信される（図１２のステップＳ７）。
この波形データＤ２は、上記第１実施例と異なり、ほぼ受信と同時に、波形データＤ３とテキストデータＴとに変換され、操作部２０に送られ、表示部６に表示される（データ演算処理ステップ：図１２のステップＳ７、Ｓ８）。そして、波形データＤ２の受信、波形データＤ３及びテキストデータＴへの変換、表示のサイクルが、約２秒間隔で行われ、ユーザは、測定範囲の開始点から終了点に向かって２秒間隔で更新されていく波形データＤ３やテキストデータＴを、表示部６で観察することができる（リアルタイム制御ステップ：図１２のステップＳ６〜Ｓ９）。
そして、図８に示した表示部６のボタンアイコン「ＳＴＯＰ」６３をタップすると、指令送信部２１からの停止指令Ｖ′がリアルタイム制御部２５に送信され、リアルタイム制御部２５がその動作を停止する（図１２のステップＳ９のＹＥＳ）。
その他の構成、作用及び効果は、上記第１実施例と同様であるので、その記載は省略する。
【００３４】
なお、この発明は、上記実施例に限定されるものではなく、発明の要旨の範囲内において種々の変形や変更が可能である。
例えば、上記実施例では、測定装置として、ＯＴＤＲ１００を適用したが、これに限るものではない。スペクトラムアナライザ、ネットワークアナライザ、オシレータ等の測定装置も、この発明の携帯電話によって、遠隔操作することができる。
また、上記実施例では、ＯＴＤＲ１００の測定条件を、表示部６から測定条件送信部２２に対して手動で行うように構成したが、自動設定するように構成してもよい。
【符号の説明】
【００３５】
１…携帯電話、  ２…ＣＰＵ実施例、  ３…メモリ、  ４…通信制御部、  ５…内蔵アンテナ、  ６…表示部、  ２０…操作部、  ２１…指令送信部、  ２２…測定条件送信部、  ２３…測定データ要求部、  ２４…データ演算処理部、  ２５…リアルタイム制御部、  １１０…ケーブル、  １２０…アクセスポイント、  Ｄ１…状態情報、  Ｄ２…波形データ、  Ｄ３…波形データ、  ＩＤ…ユーザ、  ＬＡＮ…無線、  Ｐ，Ｑ…携帯電話用プログラム、  Ｖ′…停止指令、  Ｖ０…初期化指令、  Ｖ１…測定条件、  Ｖ２…測定開始指令、  Ｖ３…データ要求。  
【図１】
2011176530.tif 000003
【図２】
2011176530.tif 000004
【図３】
2011176530.tif 000005
【図４】
2011176530.tif 000006
【図５】
2011176530.tif 000007
【図６】
2011176530.tif 000008
【図７】
2011176530.tif 000009
【図８】
2011176530.tif 000010
【図９】
2011176530.tif 000011
【図１０】
2011176530.tif 000012
【図１１】
2011176530.tif 000013
【図１２】
2011176530.tif 000014